(57)【要約】【課題】  足先を差し入れることのみで用いられ、甲被内の蒸れ出し、甲被内のゴミの残留がなく各種動作に確実に対応して履き込み用い得るスリッパの提供。【解決手段】  外底１０と中底２０と甲被３０とを備えたスリッパＳであって、前記甲被３０が幅の広い帯状としてあり、しかも、この甲被３０の先端側３０ｂの一部が前記中底２０に止着されており、この止着甲被部３０Ｂからの立ち上り甲被部３０Ｃを親指５１と第２指５２との間に受け入れるようにして履き込まれるスリッパ。【選択図】図２
2005144016.tif 000002
【特許請求の範囲】
【請求項１】
外底と中底と甲被とを備えたスリッパであって、前記甲被が幅の広い帯状としてあり、しかも、この甲被の先端側の一部が前記中底に止着されており、この止着甲被部からの立ち上り甲被部を親指と第２指との間に受け入れるようにして履き込まれることを特徴とするスリッパ。
【請求項２】
前記甲被における先端側の一部が前記中底に対して面状に接するように止着してあることを特徴とする請求項１に記載のスリッパ。
【請求項３】
前記甲被における先端側の一部が前記中底に対して該甲被の先端側から該甲被の履き込み口側に向けて線状に止着してあることを特徴とする請求項１に記載のスリッパ。
【請求項４】
前記甲被における先端側の下面に止着されている補助片が、前記中底に備えられているスリットを通して下方に引き出されていると共に、この引き出し補助片が前記中底に止着してあることを特徴とする請求項１に記載のスリッパ。
【請求項５】
前記甲被が、前記中底に対する止着甲被部を含めて当該止着甲被部から履き込み口側に向けて漸次浅くなるようにした谷状部を備えていることを特徴とする請求項１、請求項２、請求項３又は請求項４に記載のスリッパ。
【発明の詳細な説明】
【技術分野】
【０００１】
この発明は、履き込み使用に際して足部に密着するように履き込み使用をなし得るスリッパの提供に関する。
【背景技術】
【０００２】
各種の使用目的や、使用態様などに対応して各種形態のスリッパが、それぞれに意匠を凝らした態様で提供されている。
【０００３】
しかしながら、この種のスリッパにあっては、スリッパ底及び甲被間に構成される筒状空間内に足先を差し入れることのみで履き込み用い得ることから、履き込み使用がいたって容易である反面、歩行などに際して、スリッパと足との間の一体間が少なく、階段などの上り下りや、急ぎの歩行などに際して確実かつ敏速な動作に追従しにくかったり、履き込み歩行に際して足裏からスリッパ底が離れ出すことがあった。
【０００４】
また、かかる各種のスリッパにあっては、先端部分が塞がれている形態のものが多く、甲被の履き込み口以外の部分からの空気の流出入が期待できず、スリッパ着用に際して甲被内に蒸れを生ずることがあった。
【０００５】
かかる点から、たんに足先を差し入れることのみによって履き込み使用に用い得ると共に、履き込み使用に際して、甲被内に蒸れ出しを生ずることがなく、しかも、当該甲被内にゴミなどの残留する不具合もなく、さらに、形態の異なる各種の歩行や階段の上り下りなどの各種の動作を確実になし得るスリッパの提供が求められていた。
【発明の開示】
【発明が解決しようとする課題】
【０００６】
この発明が解決しようとする主たる問題点は、足先を差し入れることのみによって履き込み使用に用い得ると共に履き込み使用に際して甲被内に蒸れ出しを生じたり、当該甲被内にゴミなどの残留することのないスリッパであって、当該スリッパを各種動作に確実に対応し得る履き込み状態とする点にある。
【課題を解決するための手段】
【０００７】
前記課題を解決するために、この発明に係るスリッパにあっては、外底と中底と甲被とを備えたスリッパであって、前記甲被が幅の広い帯状としてあり、しかも、この甲被の先端側の一部が前記中底に止着されており、この止着甲被部からの立ち上り甲被部を親指と第２指との間に受け入れるようにして履き込まれることを特徴とするものとした。
【０００８】
かかる構成のスリッパにあっては、たんに足先を差し入れることのみによって履き込み使用に用い得ると共に履き込み使用に際して甲被内に蒸れ出しを生じたり、ゴミなどが残留することもなく、しかも、各種動作に確実に対応し得る履き込み状態で用いることができる。
【０００９】
また、前記構成に係るスリッパにあって、前記甲被における先端側の一部が前記中底に対して面状に接するように止着してあることを特徴とするスリッパでは、前記特長に併せて前記面状に接するように縫着された甲被の当該縫着部から起立される立ち上り甲被部が親指と第２指とに都合よく接するように機能し、スリッパを足に馴染みの良い状態で用いることができる。
【００１０】
また、前記構成に係るスリッパにあって、前記甲被における先端側の一部が前記中底に対して該甲被の先端側から該甲被の履き込み口側に向けて線状に止着してあることを特徴とするスリッパでは、この中底に線状に止着された部分から起立されているそれぞれの立ち上り甲被部の内側面に親指と第２指の互いに向き合う面がそれぞれ面状に接するように機能し、スリッパを足に馴染みの良い状態で用いることができる。
【００１１】
また、前記構成に係るスリッパにあって、前記甲被における先端側の下面に止着されている補助片が、前記中底に備えられているスリットを通して下方に引き出されていると共に、この引き出し補助片が前記中底に止着してあることを特徴とするスリッパでは、中底に対して甲被を補助片を用いて止着することができ、甲被を中底に対して確実に止着することができる。
【００１２】
また、前記構成に係るスリッパにあって、前記甲被が、前記中底に対する止着甲被部を含めて当該止着甲被部から履き込み口側に向けて漸次浅くなるようにした谷状部を備えていることを特徴とするスリッパでは、無用な皺などのない比較的すっきりとした外形形状の甲被を備えたスリッパを構成することができる。
【発明の効果】
【００１３】
この発明に係るスリッパにあっては、中底と甲被との間に構成される筒状をなす履き込み空間に対して、たんに足を差し入れることのみで履き込み用い得ると共に、履き込み使用に伴って蒸れ出すことがなく、また、甲被内にごみなどの溜り込むこともなく、しかも、各種の動作に際して装着感の良好なスリッパの着用動作をなすことができる。
【発明を実施するための最良の形態】
【００１４】
以下、この発明を実施するための最良の形態に係るスリッパについて詳細に説明する。
【００１５】
図１〜図７は、この発明を実施するための最良の形態に係るスリッパＳを示しており、図１では当該対として用いられるスリッパＳを上方から視て示しており、履き込んだ足の状態を仮想線で示してある。図２では、このスリッパＳを斜め上方から視て、図３では、当該スリッパＳを長手方向で切断した縦断面の状態を、図４では、当該スリッパＳを幅方向で切断した縦断面の状態で示しており、履き込んだ足を仮想線で示してある。図５では、甲被材を斜め上方から、図６では、この甲被材の一成形工程にある状態を斜め上方から、図７では、この甲被材によって成形された甲被を斜め上方から視た状態で示してある。図８〜図１１は、当該発明を実施するための他の最良の形態に係るスリッパＳを示しており、図８では当該対として用いられるスリッパＳを上方から視て示しており、履き込んだ足の状態を仮想線で示してある。図９では、このスリッパＳを斜め上方から視て、図１０では、当該スリッパＳを長手方向で切断した縦断面の状態を、図１１では、当該スリッパＳを幅方向で切断した縦断面の状態で示しており、履き込んだ足を仮想線で示してある。図１２〜図１６は、当該発明を実施するための更に他の最良の形態に係るスリッパＳを示しており、図１２では当該対として用いられるスリッパＳを上方から視て示しており、履き込んだ足の状態を仮想線で示してある。図１３では、このスリッパＳを斜め上方から視て、図１４では、当該スリッパＳを長手方向で切断した縦断面の状態を、図１５では、当該スリッパＳを幅方向で切断した縦断面の状態で示しており、履き込んだ足を仮想線で示してある。図１６では、このスリッパＳを構成する部品を分離した状態を斜め上方から視て示している。
【００１６】
この発明を実施するための最良の形態に係るスリッパＳは、典型的には、外底１０と
中底２０と甲被３０とを備えたスリッパＳであって、前記甲被３０が幅の広い帯状としてあり、しかも、この甲被３０の先端側３０ｂの一部が前記中底２０に止着されており、この止着甲被部３０Ｂからの立ち上り甲被部３０Ｃを親指５１と第２指５２との間に受け入れるようにして履き込まれることを特徴とする左右一組のスリッパＳとして用意される。（なお、説明の便宜上、この明細書にあっは、当該対をなして用いられるスリッパＳの一方側についての説明をなし、同様構成からなる他方側についての説明は省略する。）
【００１７】
このように構成されるスリッパＳは、前記構成を備えたスリッパＳであれば、いかなる目的に用い得るスリッパＳであっても、また、いかなる態様において用い得るスリッパＳであってもよく、当該スリッパＳがいかなる素材によって構成してあっても、また、前記構成を備えたものであればいかなる形態に構成してあってもよい。
【００１８】
なお、前記甲被３０は、中底２０に足５０を乗せかけた際に当該足５０の甲部分を都合よく覆って当該中底２０と共にスリッパＳを足５０に引っかけ用い得るに都合の良い広さの幅を備えた帯状のものであれば、いかなる素材によって構成してあっても、また、いかなる手法によって構成してあっても、また、いかなる形状に構成してあってもよい。
【００１９】
なお、前記中底２０に対する甲被３０の一部の止着は、この中底２０に止着された止着甲被部３０Ｂからの立ち上り甲被部３０Ｃを当該スリッパＳの履き込み使用に際して親指５１と第２指５２間に都合よく挟み込み状態になし得るものであればいかなる手段によって止着してあってもよく、また、いかなる態様で止着されていてもよい。
【００２０】
このように構成されるスリッパＳにあっては、たんにスリッパＳの履き込み口に対して足５０を差し入れることのみによって前記立ち上り甲被部３０Ｃを親指５１と第２指５２間に挟み入れるように履き込み用い得ると共に、当該履き込み使用に際して甲被３０内に蒸れ出しを生ずることもなく、また、ゴミなどが甲被３０内に残留する不具合を生ずることもない。
【００２１】
また、前記構成に係るスリッパＳにあって、前記甲被３０における先端側３０ｂの一部が前記中底２０に対して面状に接するように、縫着などの止着手段によって止着した構成のスリッパＳにあっては、前記特長に併せて前記面状に接するように止着された甲被３０における当該止着による止着甲被部３０Ｂから起立される立ち上り甲被部３０Ｃが親指５１と第２指５２とに都合よく密に接するように機能し、スリッパＳを足５０に馴染みの良い状態で用いることができる。
【００２２】
また、前記構成に係るスリッパＳにあって、前記甲被３０における先端側３０ｂの一部を前記中底２０に対して該甲被３０の先端側３０ｂから該甲被３０の履き込み口側３０ａに向けて縫着などの適宜の手段で線状に止着した構成のスリッパＳにあっては、この中底２０に対して線状に止着された止着甲被部３０Ｂから起立されているそれぞれの立ち上り甲被部３０Ｃの面に親指５１と第２指５２の互いに向きあう面をそれぞれ面状に接するようにして用いることができ、スリッパＳを足５０に馴染みの良い状態で用いることができる。
【００２３】
また、前記構成に係るスリッパＳにあって、前記甲被３０における先端側３０ｂの下面に縫着など適宜の手段で止着されている補助片３０Ｆが、前記中底２０に備えられているスリット２０ｂを通して下方に引き出されていると共に、この引き出し補助片３０Ｆが前記中底２０に止着してある構成としたスリッパＳにあっては、中底２０に対して甲被３０を補助片３０Ｆを用いて効果的に止着することができ、甲被３０の中底２０に対する確実な取付け状態の維持されたスリッパＳを構成することができる。
【００２４】
また、前記構成に係るスリッパＳにあって、前記甲被３０が、前記中底２０に対する止着甲被部３０Ｂを含めて当該止着甲被部３０Ｂから履き込み口側３０ａに向けて漸次浅くなるようにした谷状部３０Ｄを備えている構成のスリッパＳにあっては、無用な皺などのない比較的すっきりとした外形形状の甲被３０を備えたスリッパＳを構成することができる。
【００２５】
（１）  図１〜図７に示される当該発明を実施するための典型的な第１の最良の形態に係るスリッパＳについて説明する。
【００２６】
この図１〜図７に示される典型的な第１の最良の形態に係るスリッパＳは、外底１０と中底２０と甲被３０とを備えたスリッパＳであって、前記甲被３０が幅の広い帯状としてあり、しかも、この甲被３０の先端側３０ｂの一部が前記中底２０に止着されており、この止着甲被部３０Ｂからの立ち上り甲被部３０Ｃを親指５１と第２指５２との間に受け入れるようにして履き込まれるように構成された左右一組のものとして用意される。
【００２７】
そして、このスリッパＳが、前記甲被３０における先端側３０ｂの一部を前記中底２０に対して面状に接するように縫糸４１で縫着した止着甲被部３０Ｂを備えた構成としてあり、更に、典型的には、前記甲被３０が、前記中底２０に対する止着甲被部３０Ｂを含めて当該止着甲被部３０Ｂから履き込み口側３０ａに向けて漸次浅くなるようにした谷状部３０Ｄを備えている構成としてある。
【００２８】
かかるスリッパＳは、典型的には、足５０を乗せかけ用いるのに都合の良いスリッパ底を構成する外底１０と、この外底１０上にあって、足５０における足裏部分を前後及び左右に余裕を残すようにして乗せかけ得る足型形状に似せた中底２０と、当該スリッパＳの履き込み使用に際して、足５０の甲部分を覆うように中底２０に備えられた甲被３０とを備えた構成としてあり、具体的には、爪先側を開口した状態の甲被３０、すなわち、履き込み口側３０ａから先端側３０ｂに向けて足５０の差し込み得る筒状部を前記中底２０と共に構成する幅の広い帯状の甲被３０を備えた構成としてある。
【００２９】
かかるスリッパ底を構成する外底１０は、典型的には、足５０の足裏部分を前後及び左右に余裕を残すようにして乗せかけ得る足型形状に似せた形状としてあり、おって説明する中底２０と共にスリッパ底を構成し得るものであればいかなる構成からなるものであってもよく、この図示例にあっては、所定形状を維持し得るに適した厚さ等の条件を備えた板状をなす外底本体１１と、この外底本体１１の下面とこれに連続した側端面とを包み込むように覆うと共に上面側の周側部に止着するようにした下面シート材１２とを備えた構成としてあり、当該外底本体１１に対して下面シート材１２を接着、縫着その他の適宜の手段で一体をなすように備えつけて当該外底１０を構成してある。
【００３０】
かかる外底１０と共にスリッパ底を構成する中底２０は、当該外底１０と共にスリッパ底を構成し得るものであればいかなる構成からなるものであってもよく、この図示例にあっては、前記外底１０上に重ね合わせの状態に備えつけ得る形状とされており、履き込まれる足５０の甲の納め入れられる部分に甲被３０を備えた構成としてある。
【００３１】
かかる中底２０は、足５０の足裏部分を前後及び左右に余裕を残すようにして乗せかけ得る足型形状に似せた形状を維持し得るに適した厚さを備えた板状をなす中底本体２１と、この中底本体２１の踵部側にあって該中底本体２１の下面側に重ね合わせの状態に備えられている踵芯材２２と、該中底本体２１の上面側に重ね合わせの状態に備えられている上面シート材２３と、重ね合わせの状態にある中底本体２１及び踵芯材２２並びに上面シート材２３の周側面と当該周側面に連続した上面シート材２３の上面の一部と前記周側面に連続した踵芯材２２及び中底本体２１の下面の一部とを覆うように備えられるテープ状材２４とを備えた構成としてある。また、前記踵芯材２２は、前記中底２０における踵側端から爪先側に向けて漸次厚さを薄くするように構成されており、スリッパＳにおける中底２０の上面が、当該スリッパＳの履き込みに際して踵側が爪先側よりも高くなるように構成してある。
【００３２】
かかる中底本体２１及び踵芯材２２並びに上面シート材２３は適宜一体をなすように構成してあればいかなる手段によって一体をなすようにしてあってもよく、例えば、踵芯材２２を中底本体２１に対して接着一体とし、この踵芯材２２を備えた中底本体２１の上面に上面シート材２３を添装すると共に、この重ね合わせの状態にある中底本体２１及び踵芯材２２並びに上面シート材２３の周側面を覆うテープ状材２４の一側縁部を前記上面シート材２３の上面周側部に添装状態にして、このテープ状材２４の添装部と前記上面シート材２３及び中底本体２１並びに踵芯材２２とを縫着一体になすと共に、当該テープ状材２４の他側縁部を前記の一体に構成されている踵芯材２２及び中底本体２１の下面周側部に接着するようにして当該中底２０を構成するなど適宜の手段によって構成する。
【００３３】
次いで、当該スリッパＳを構成する甲被３０は、スリッパＳの履き込み使用において、前記中底２０との間に足５０の甲を当該甲被３０に密に接するように当該足５０を円滑に納め入れ得る空間を都合よく構成し得る形態を備えたものであれば、いかなる素材によって構成してあっても、また、いかなる形状に構成してあってもよい。
【００３４】
かかる中底２０に備えられる甲被３０は、典型的には、当該中底２０における踵部よりも前方側に該スリッパＳの履き込み足５０の甲部分を覆うように設けてあり、爪先側を解放した状態、すなわち、幅の広い帯状のものとして構成してある。そして、当該甲被３０の先端側３０ｂ、いわゆる当該甲被３０における履き込み口側３０ａと反対の側、すなわち、スリッパＳにおける爪先側にある当該甲被３０の一部を前記中底２０に止着した構成としてある。
【００３５】
かかる中底２０に備えられる甲被３０は、その両側縁部３０Ｅを該中底２０におけるそれぞれの長手縁に沿って止着され，該中底２０の幅側に弧状に亙るように設けてあり、当該甲被３０が中底２０面に沿って履き込まれる履き込み足５０の甲部分に都合よく密に接する大きさの弧をなすようにしてある。すなわち、当該スリッパＳに対する履き込みに都合の良いように当該甲被３０が該中底２０と共に筒状部を構成するようにしてあると共に、当該弧状に備えられている甲被３０における先端側３０ｂの一部が該中底２０に対して止着してあり、この止着甲被部３０Ｂから起立されるそれぞれの立ち上り甲被部３０Ｃが親指５１と第２指５２間に位置付けられるように当該甲被３０内に足５０を差し入れ用い得る構成としてある。
【００３６】
かかるスリッパＳを構成する幅の広い帯状をなす甲被３０は、典型的には、当該甲被３０の両側縁部３０Ｅ、すなわち、足５０の履き込み方向に沿った該甲被３０の側縁部３０Ｅのそれぞれを、当該側縁部３０Ｅに対応する中底２０における長手縁に沿った縁部２０ａに対して、当該中底２０を構成する上面シート材２３と前記テープ状材２４との間に挟み入れるようにして中底２０に縫着してあり、該中底２０の上方に向けて張り出す弧状をなす形状としてある。即ち、当該甲被３０の履き込み口側３０ａが、この履き込み口側３０ａの縁３０ａ’を中底２０の上方に向けて張り出す弧状をなす形状としてあり、しかも、この履き込み口側３０ａと反対の側にある縁、すなわち、該甲被３０における先端側３０ｂの縁３０ｂ’が、当該先端側３０ｂの一部を中底２０に対して止着した状態で、該中底２０の上方に向けて張り出す弧状をなす形状としてある。
【００３７】
そして、この中底２０に備えられた当該甲被３０における先端側３０ｂの中底２０に止着した止着甲被部３０Ｂと当該中底２０における長手方向に沿った縁部２０ａに止着した側縁部３０Ｅとの間に弧状をなすように構成された甲被部と中底２０とが構成する一方の空間に親指５１を、他方の空間に当該親指５１以外の指、即ち、第２指〜第５指を差し入れて、当該止着甲被部３０Ｂからの立ち上り甲被部３０Ｃを該親指５１と第２指５２との間に受け入れ得るように構成してある。
【００３８】
かかる構成よりなる前記外底１０上に甲被３０を備えた中底２０を重ね合わせの状態にして相互を一体に止着することにより当該スリッパＳを構成してある。かかる外底１０と中底２０の一体的な止着は、当該外底１０と中底２０とを一体にし得るものであればいかなる手段によってなされていてもよく、縫着や接着などの適宜の一種の止着手段又は二種以上の止着手段によって止着一体とする。例えば、外底１０の上面に甲被３０を備えた中底２０の下面を接着すると共に前記上面シート材２３の上面に備えられているテープ状材２４部分において当該外底１０と中底２０とを縫いつけ一体とすることによってスリッパＳを構成する
【００３９】
この図示例にかかるスリッパＳにあっては前記甲被３０を、甲表生地３１と甲裏生地３２間に甲芯材３３を備えた甲被材３０’によって構成し、当該甲被材３０’によって構成される甲被３０における先端側３０ｂの一部を中底２０に対して面状に接するように縫着により止着した構成としてある。
【００４０】
かかるスリッパＳを構成する甲被３０の中底２０に対する止着甲被部３０Ｂは、ほぼ三角形状としてあり、当該甲被３０における先端側３０ｂにおけるほぼ中央部分、又は、この中央部分からやや側方に偏った位置に設けてあり、この図示例にあっては、先端縁３０ｂ’に連続する縁３０ｂ”を一辺とする三角形状をなすように、当該三角形状の各辺に沿って甲被３０を中底２０に縫いつけることにより構成してある。
【００４１】
かかる止着甲被部３０Ｂによって先端側３０ｂを中底２０に止着されている甲被３０は、当該三角形状をなす止着甲被部３０Ｂを含めて当該止着甲被部３０Ｂを構成する縁３０ｂ”を除く他の二辺の連続部を谷筋とするように当該二辺から履き込み口側３０ａに向けて漸次浅くなるようにした谷状部３０Ｄを備えた構成としてあり、この谷状部３０Ｄを構成する当該止着甲被部３０Ｂからの立ち上り甲被部３０Ｃを親指５１と第２指５２間に受け入れて、当該スリッパＳを履き込み得る構成としてある。
【００４２】
このように構成されるスリッパＳにあっては、前記止着甲被部３０Ｂからの立ち上り甲被部３０Ｃで当該スリッパＳにおける甲被３０の先端側３０ｂが左右に二分され、それぞれに弧状をなす先端縁３０ｂ’を備えた分岐弧状甲被部３０Ａｂを履き込み口側３０ａを構成する弧状甲被部３０Ａａから分岐するように設けた構成としてあり、当該分岐弧状甲被部３０Ａｂの一方側を親指５１の、他方側を第２指〜第５指の差し入れ空間としてある。
【００４３】
このように構成されるスリッパＳにあっては、谷状部３０Ｄを構成する前記止着甲被部３０Ｂからの立ち上り甲被部３０Ｃが当該甲被３０内に差入れられる足５０の親指５１と第２指５２間に円滑かつ確実に受け入れられる。
【００４４】
かかる止着甲被部３０Ｂを含む谷状部３０Ｄを備えた甲被３０にあっては、止着甲被部３０Ｂから滑らかな状態で弧状甲被部３０Ａａ及び分岐弧状甲被部３０Ａｂが形成され、当該止着甲被部３０Ｂからの立ち上り甲被部３０Ｃに無用の皺を生ずることがなく、外観体裁の良いスリッパＳを構成することができる。
【００４５】
図５〜図７は、かかる谷状部３０Ｄを備えた甲被３０の構成の一例を示したものであって、図５に示されるように、甲被３０を構成する甲被材３０’をスリッパＳに構成される甲被３０よりもやや幅が広く、しかも、甲被３０において履き込み口側３０ａとなる側の略中央部にあって当該側の縁３０’ａ’から甲被３０において先端側３０ｂとなる側３０’ｂに向けて凹む長方形状のカット状部３０’Ａを備えたものとして用意し、このカット状部３０’Ａにおける前記縁３０’ａ’から該カット状部３０’Ａの内奥縁３０’Ａｂに至る互いに向き合っている縁３０’Ａａと縁３０’Ａａとを縫合３０’Ａｃし、かつ、このカット状部３０’Ａにおける内奥縁３０’Ａｂから前記先端側３０ｂとなる側３０’ｂにある甲被材３０’部分を谷折りの状態にして当該内奥縁３０’Ａｂをその中央部で折り重ね状態で該内奥縁３０’Ａｂ相互を縫合３０’Ａｄして、図６に示される形状の甲被３０を構成用意し、当該甲被３０を、例えば、図７に示される形状となるように前記手法で中底２０に止着することによって、前記図１〜図４に示された状態の甲被３０、すなわち、止着甲被部３０Ｂと、この止着甲被部３０Ｂを含めて当該止着甲被部３０Ｂから履き込み口側３０ａに向けて漸次浅くなるようにした谷状部３０Ｄを備えて、分岐弧状甲被部３０Ａｂ及び弧状甲被部３０Ａａとを有すると共に、当該止着甲被部３０Ｂからの立ち上り甲被部３０Ｃを親指５１及び第２指５２間に入れ込み得るスリッパＳの甲被３０を構成する。
【００４６】
なお、前記の甲被材３０’は、当該甲被材３０’と当該甲被材３０’に備えられるカット状部３０’Ａの形状及び寸法を、当該甲被材３０’により構成される甲被３０を中底２０に備えた際に、前記カット状部３０’Ａにおける内奥縁３０’Ａｂから前記先端側３０ｂとなる側３０’ｂにあって谷折り状態にされる前記甲被材３０’部分が前記図７に示される状態で中底２０に止着し得ると共に、中底２０と当該中底２０に備えられた甲被３０とによってスリッパＳの使用に都合の良い足５０の差し入れ空間を構成し、しかも、前記止着甲被部３０Ｂからの立ち上り甲被部３０Ｃが親指５１と第２指５２間に都合よく差し入れ得る構成としてある。
【００４７】
（２）  図８〜図１１に示される当該発明を実施するための典型的な第２の最良の形態に係るスリッパＳについて説明する。
【００４８】
この図８〜図１１に示される典型的な第２の最良の形態に係るスリッパＳは、外底１０と中底２０と甲被３０とを備えたスリッパＳであって、前記甲被３０が幅の広い帯状としてあり、しかも、この甲被３０の先端側３０ｂの一部が前記中底２０に止着されており、この止着甲被部３０Ｂからの立ち上り甲被部３０Ｃを親指５１と第２指５２との間に受け入れるようにして履き込まれるように構成された左右一組のものとして用意される。
【００４９】
そして、このスリッパＳが、前記甲被３０における先端側３０ｂの一部を前記中底２０に対して該甲被３０の先端側３０ｂから該甲被３０の履き込み口側３０ａに向けて線状に接するように縫糸４１で縫着した止着甲被部３０Ｂを備えた構成としてあり、更に、典型的には、前記甲被３０が、前記中底２０に対する止着甲被部３０Ｂを含めて当該止着甲被部３０Ｂから履き込み口側３０ａに向けて漸次浅くなるようにした谷状部３０Ｄを備えている構成としてある。
【００５０】
この図示例に係るスリッパＳにあっては、甲被３０を、その先端側３０ｂにあって、該先端側３０ｂの縁３０ｂ’に連続する縁３０ｂ”から当該甲被３０の履き込み口側３０ａに向けて直線状に中底２０に縫いつけることにより止着甲被部３０Ｂを構成してあり、当該甲被３０を、この線状に備えられている止着甲被部３０Ｂを谷筋とするように、当該止着甲被部３０Ｂから履き込み口側３０ａに向けて漸次浅くなるようにした谷状部３０Ｄを備えた構成としてある。
【００５１】
かかるスリッパＳは、例えば、前記図６に示される状態に構成された甲被材３０’を、該甲被材３０’において谷折り状態とされている谷筋に沿って先端側３０ｂの縁３０ｂ”から縫合３０’Ａｄの下端位置までの間を中底２０に縫いつけた線状をなす止着甲被部３０Ｂを備えたものとして構成することができる。
【００５２】
また、この甲被３０の中底２０に対する縫いつけ止着に際して、当該中底２０の下面側に補強プレート４２を添装状態になすと共に、この補強プレート４２と中底２０と甲被３０とを一体に縫いつけ止着することによって、中底２０に対して止着甲被部３０Ｂを確実な止着状態とすることができる。
【００５３】
この図８〜図１１に示される第２の最良の形態に係るスリッパＳは、前記構成以外の構成を図１〜図７に示される第１の最良の形態に係るスリッパＳの構成と同一又は実質的に同一の構成としてあり、同様にして用いられると共に実質的に同様の効果を奏し得るものであって、同一又は実質的に同一の構成部分には同一の番号を付して、その説明を省略する。
【００５４】
（３）  図１２〜図１６に示される当該発明を実施するための典型的な第３の最良の形態に係るスリッパＳについて説明する。
【００５５】
この図１２〜図１６に示される典型的な第３の最良の形態に係るスリッパＳは、外底１０と中底２０と甲被３０とを備えたスリッパＳであって、前記甲被３０が幅の広い帯状としてあり、しかも、この甲被３０の先端側３０ｂの一部が前記中底２０に止着されており、この止着甲被部３０Ｂからの立ち上り甲被部３０Ｃを親指５１と第２指５２との間に受け入れるようにして履き込まれるように構成された左右一組のものとして用意される。
【００５６】
この第３の最良の形態に係るスリッパＳにあっては、甲被材３０’により当該甲被３０を構成するに際して、当該甲被３０の先端側３０ｂの下面側に補助片３０Ｆを止着用意し、この補助片３０Ｆを用いて当該甲被３０を中底２０に対して止着して止着甲被部３０Ｂを構成するようにしたものである。
【００５７】
かかる甲被３０の一部の中底２０に対する止着に用いられる補助片３０Ｆは、この甲被３０の一部を中底２０に対して確実に止着し得るものであればいかなるものであってもよく、また、いかなる手段によって当該甲被３０に止着してあってもよい。例えば、長方形状をなすテープ状材などの長尺状材を当該甲被３０に縫着するなどして備えつけることができる。
【００５８】
この第３の最良の形態に係るスリッパＳは、例えば、前記図７の状態に構成された甲被３０に対して、当該甲被３０の先端側３０ｂの縁３０ｂ’に沿うようにテープ状をなす補助片３０Ｆを当該甲被３０の下面側に該補助片３０Ｆの面を接するように添装状態とし、この添装状態にある補助片３０Ｆを縁３０ｂ’に連続する縁３０ｂ”を一辺とする三角形状の止着甲被部３０Ｂをなすように構成される当該三角形状をなす各辺に沿って縫着して図１６の状態の甲被３０を構成し、また、平面視で踵側に向けて窄まるＶ字状をなすスリット２０ｂを当該中底２０における上下方向を貫通した状態で備えた中底２０を用意し、この中底２０の上方から前記補助片３０Ｆをスリット２０ｂに挿通すると共に、当該補助片３０Ｆの止着されている止着甲被部３０Ｂを当該中底２０の上面に密着させるように該スリット２０ｂから下方に当該補助片３０Ｆを引き出し、当該引き出し状態において該スリット２０ｂから引き出された補助片３０Ｆを当該中底２０の下面に止着することによって甲被３０を中底２０に止着し、止着甲被部３０Ｂを構成するようにしてある。
【００５９】
かかる甲被３０の止着に用いられる補助片３０Ｆは、適宜の手段によって中底２０に対して前記甲被３０の止着甲被部３０Ｂを密に接するように止着してあれば良く、例えば、スリット２０ｂから下方に引き出された補助片３０Ｆを、引っ張り状態で当該中底２０に接着すると共に補助片３０Ｆの先端部を中底２０の周縁部に縫着する。このように構成されるスリッパＳにあっては、甲被３０における止着甲被部３０Ｂを中底２０に対して確実な止着状態に維持することができる。
【００６０】
この第３の最良の形態に係るスリッパＳにあっては、前記甲被３０の先端側３０ｂの一部の前記中底２０に対する止着を、当該甲被３０における先端側３０ｂの下面に止着用意され、しかも、前記中底２０に備えられているスリット２０ｂを通して下方に引き出されている補助片３０Ｆの当該中底２０に対する止着によりなすようにした以外の構成を前記図１〜図７に示される第１の最良の形態に係るスリッパＳと同一又は実質的に同一の構成としてあり、同様にして用い得ると共に実質的に同様の効果を奏し得るものであって、前記第１の最良の形態に係るスリッパＳと同一又は実質的に同一の構成部分には同一の番号を付して、その説明を省略する。
【図面の簡単な説明】
【００６１】
【図１】第１の最良の形態に係るスリッパの平面図
【図２】同斜視図
【図３】図１におけるＵ−Ｕ矢視断面図
【図４】図１におけるＶ−Ｖ矢視断面図
【図５】同甲被を構成する甲被材の斜視図
【図６】同形成の一過程にある甲被材の斜視図
【図７】同甲被の斜視図
【図８】第２の最良の形態に係るスリッパの平面図
【図９】同斜視図
【図１０】図８におけるＷ−Ｗ矢視断面図
【図１１】図８におけるＸ−Ｘ矢視断面図
【図１２】第３の最良の形態に係るスリッパの平面図
【図１３】同斜視図
【図１４】図１２におけるＹ−Ｙ矢視断面図
【図１５】図１２におけるＺ−Ｚ矢視断面図
【図１６】同部品分離斜視図
【符号の説明】
【００６２】
Ｓ  スリッパ
１０  外底
２０  中底
２０ｂ  スリット
３０  甲被
３０Ｂ  止着甲被部
３０Ｃ  立ち上り甲被部
３０Ｄ  谷状部
３０Ｆ  補助片
３０ａ  履き込み口側
３０ｂ  先端側
５１  親指
５２  第２指
【図１】
2005144016.tif 000003
【図２】
2005144016.tif 000004
【図３】
2005144016.tif 000005
【図４】
2005144016.tif 000006
【図５】
2005144016.tif 000007
【図６】
2005144016.tif 000008
【図７】
2005144016.tif 000009
【図８】
2005144016.tif 000010
【図９】
2005144016.tif 000011
【図１０】
2005144016.tif 000012
【図１１】
2005144016.tif 000013
【図１２】
2005144016.tif 000014
【図１３】
2005144016.tif 000015
【図１４】
2005144016.tif 000016
【図１５】
2005144016.tif 000017
【図１６】
2005144016.tif 000018